(57)【要約】      （修正有）【課題】小さな居室空間を形成するためには、間仕切り材等により空間を間仕切る工事が必要であった。また、間仕切り工事は、端部を既存の建物に結合しているため、居室空間の移設や撤去など変更が生じた場合は、居室空間を形成する床パネルや壁パネルや天井パネルの破損と既存の建物への損傷が生じ、工事工期の延長や工事費の増加という課題が有った。このような課題を解決する生活空間創造ユニットを提供する。【解決手段】ナットを溶接した床基盤材４と台輪７をボルトで締結した接合装置に壁パネル１をビス１２で結合し、壁パネル同士及び壁パネルと天井パネル２を接合装置で結合することにより、人が中に入ることが出来る強度を有する六面体構造の居室空間を形成することで、既存の建物に結合することなく自立する生活空間創造ユニットを実現できる。【選択図】図３
0003235044.tif 000002
【実用新案登録請求の範囲】
【請求項１】
箱状のユニットを形成する壁パネルを床基盤材と台輪からなる接続装置にボルトとナットで結合し、壁パネル同士及び壁パネルと天井パネルとを接合装置で結合することにより、人が中に入ることが出来る強度を有する六面体構造の居室空間を形成することで、建物の躯体と結合することなく自立が可能となり、且つ専門の職人でなくても簡単に設営及び取り外しや移設ができることを特徴する生活空間創造ユニット
【考案の詳細な説明】
【技術分野】
【０００１】本考案は、生活者が暮らしを営む中で小さな居室空間を必要とした場合に、既存の建物を損傷することなく簡便に居室空間の設営が行え、また、居室空間が不要になった場合や移設が必要になった場合は、既存の建物や居室空間を形成する床パネルや壁パネルや天井パネル等を損傷することなく、簡便に取り外しや移設が行える生活空間創造ユニットに関するものである。
【背景技術】
【０００２】従来では、住宅はじめ商業施設や店舗、レストランや飲食店、オフィスや公共施設などに於いて、生活者の暮らしを支える小さな居室空間（トイレ室、化粧室、更衣室、授乳室、仮眠室、洗面室、仕事部屋、電話室など）の設えは、生活者の利用方法や使い勝手などを想定したうえで設計し建設されている。しかしながら、実際にそれらの施設を使ってみると、使い勝手が良くなかったり、必要な場所に必要な大きさや数量の居室空間が設営されていなかったり、生活者にとっての利便性や快適性を著しく欠いている事例が多く見受けられ、リフォーム工事やリニュアル工事といった改善工事が行われている。【０００３】しかも、リフォーム工事やリニュアル工事を行う場合は、居室空間を形成する床パネルや壁パネルや天井パネルは既存の建物に結合されているため、撤去や解体による既存建物への損傷や、工事期間の延長及び工事費の増加が免れない。
【考案の概要】
【考案が解決しようとする課題】
【０００４】従来は、小さな居室空間を形成するためには、間仕切り材等により空間を間仕切る工事が必要であった。また、間仕切り工事は、端部を既存の建物に結合しているため、居室空間の移設や撤去等が生じた場合は、居室空間を形成する床パネルや壁パネルや天井パネルの破損と既存の建物にも損傷が生じることになり、工期の延長や工事費の増加という課題があった。【０００５】本考案は、このような課題を解決するために成されたものであり、既存の建物の中に小さな居室空間を設営したり取り外したりするためには、居室空間を形成している床パネルや壁パネルや天井パネルを取り外し可能な接合装置で結合し、更に、床パネル及び床基盤材と建物床面とを取り外しが可能な接合装置で結合することにより、既存の建物を損傷することなく居室空間を設営したり、居室空間が不要になった場合や移設が必要になった場合も、既存の建物や居室空間を形成する床パネルや壁パネルや天井パネルを損傷することなく、専門の職人でなくても簡単に取り外しや移設が行える生活空間創造ユニットの実現を目的とする。
【課題を解決するための手段】
【０００６】上記の課題を解決するために、本考案は、壁パネルを床基盤材と台輪からなる接合装置にボルトとナットで結合し、壁パネル同士及び壁パネルと天井パネルとを接合装置で結合することにより、人が中に入ることが出来る強度を有する六面体構造の居室空間を形成することで、建物の躯体と結合することなく生活空間創造ユニットを自立させることが可能となり、居室空間が不要になった場合や移設が必要になった場合も既存の建物を損傷することなく、前述の課題を解決するものである。
【考案の効果】
【０００７】上述のように、本考案は、接合装置により生活空間創造ユニットを建物の躯体に結合することなく自立させることが出来るので、建物の躯体を傷つけることなく設営及び取り外しが行える生活空間創造ユニットが実現できる。更に、生活空間創造ユニットを形成する各パネル同士と接合装置との結合は、ビス若しくはボルトとナットを用いた結合方法を用いており、専門の職人でなくても簡単に設営及び取り外しが行える生活空間創造ユニットが実現できる。
【図面の簡単な説明】
【０００８】
【図１】  生活空間創造ユニットの姿図である
【図２】  生活空間創造ユニットの平面図である
【図３】  生活空間創造ユニットの接合装置の詳細図である
【考案を実施するための形態】
【０００９】生活空間創造ユニットの床周りの接合装置は、台輪と床基盤材とボルトとナットからなり、床基盤材は、生活空間創造ユニットを自立させるに足る重量及び厚みと強度を有しており、床基盤材に溶接されたナットに台輪をボルトで結合し、その台輪に生活空間創造ユニットを形成する壁パネルをビスで結合し、それぞれの壁パネル同士及び壁パネルと天井パネルを接合装置で結合することにより、人が中に入ることが出来る強度を有する六面体構造を形成することで自立する生活空間創造ユニットを実現させることができる。また、生活空間創造ユニットの移設や取り外しの場合も、それぞれのパネルと接続装置との結合を外すことで既存の建物に傷をつけることなく諸作業を行うことが出来る生活空間創造ユニットが実現できる。
【実施例】
【００１０】以下、添付図面に従って生活空間創造ユニットを説明する。
床パネル３と床基盤材４と壁パネル１と天井パネル２からなる生活空間創造ユニットを例に説明する。
ナットを溶接した床基盤材４を建物床面５に結合することなく設置し、床基盤材４と接続装置（台輪）７をボルトとナット１０で強固に結合させる。
上記の接続装置（台輪）７に壁パネル１をビス１２で結合し、壁パネル１同士と壁パネル１と天井パネル２を接続装置（廻り縁８，出角見切９）で結合することにより、人が中に入ることが出来る強度を有する六面体構造を形成し、既存の建物に結合することなく、生活空間創造ユニットとして自立させることができる。
また、居室空間としての用途によって、扉６や椅子１３やテーブル１４や照明器具１５等が配置されるが、前述を妨げるものではない。
以上のように、床基盤材４と床パネル３と壁パネル１と天井パネル２で形成する生活空間創造ユニットは、それぞれのパネルを接合装置で結合させることで形成されているため、専門の職人でなくても簡単に設営並びに取り外しや移設作業を行うことができ、既存の建物に損傷を与えることはない。また、空間創造ユニットは強固な六面体構造を有しており、移設の際は台車に載せての移動も可能である。
【符号の説明】
【００１１】  １  壁パネル
２  天井パネル
３  床パネル
４  床基盤材
５  建物床面
６  扉
７  接合装置（台輪）
８  接合装置（廻り縁）
９  接合装置（出角見切）
１０  ボルト＆ナット
１１  固定ビス
１２  ビス
１３  椅子
１４  テーブル
１５  照明器具
【図１】
0003235044.tif 000003
【図２】
0003235044.tif 000004
【図３】
0003235044.tif 000005
【図４】
0003235044.tif 000006
【手続補正書】
【提出日】令和3年9月16日(2021.9.16)
【手続補正１】
【補正対象書類名】明細書
【補正対象項目名】０００８
【補正方法】変更
【補正の内容】
【０００８】
【図１】  生活空間創造ユニットの姿図である
【図２】  生活空間創造ユニットの平面図である
【図３】  生活空間創造ユニットの接合装置の詳細図である
【図４】  生活空間創造ユニットの接合装置の詳細図である